(57)【特許請求の範囲】
【請求項１】
第１ロータアーム及び第２ロータアームの先端に糸案内姿勢と糸開放姿勢とに揺動自在に装着され、釣り糸をスプールに案内するスピニングリールの釣り糸案内機構であって、
前記第１ロータアーム及び前記第２ロータアームの先端にそれぞれ揺動自在に装着された第１ベール支持部材及び第２ベール支持部材と、
前記第１ベール支持部材に一端が固定された固定軸と、
前記固定軸の他端に前記第１ベール支持部材と間隔を隔てて設けられたカバー本体、及び前記カバー本体の側面のみに開口するように形成された係合溝、を有する固定軸カバーと、
前記固定軸に回動自在に支持され、周面に前記釣り糸を案内する案内部が形成されたラインローラと、
棒状に形成された棒状部、及び一端部が前記棒状部と連結され他端部が前記固定軸カバーに装着される板状部、を有し、前記釣り糸を前記固定軸カバーを介して前記ラインローラに導くベールと、
を備え、
前記板状部は、前記係合溝に係合する係合部を有している、スピニングリールの釣り糸案内機構。
【請求項２】
前記カバー本体は、略円筒状に形成され、
前記係合溝は、前記カバー本体の外周面に形成されている、請求項１に記載のスピニングリールの釣り糸案内機構。
【請求項３】
前記係合溝は、前記カバー本体の前記固定軸を挟んだ両側の側面にそれぞれ開口するように形成された第１係合溝及び第２係合溝をさらに有し、
前記係合部は、前記第１係合溝及び前記第２係合溝に係合する第１係合部及び第２係合部をさらに有している、請求項１又は２に記載のスピニングリールの釣り糸案内機構。
【請求項４】
前記板状部は、前記一端部から前記他端部に向けて２方向に分岐して延びる第１板本体及び第２板本体をさらに有し、
前記第１係合部及び前記第２係合部は、前記第１板本体及び前記第２板本体の他端部にそれぞれ形成されている、請求項３に記載のスピニングリールの釣り糸案内機構。
【請求項５】
前記固定軸及び前記固定軸カバーのいずれかは、他端部が前記第１板本体及び前記第２板本体の間に配置され、他端部が頂点となるように略円錐形状に形成されている、請求項４に記載のスピニングリールの釣り糸案内機構。
【請求項６】
前記第１板本体及び前記第２板本体の一方の外側面は、前記棒状部の外側面と滑らかに連続するように形成されている、請求項４又は５に記載のスピニングリールの釣り糸案内機構。
【請求項７】
前記板状部は、前記一端部から前記他端部に向けて拡径するように形成されている、請求項１から６のいずれか１項に記載のスピニングリールの釣り糸案内機構。
【請求項８】
前記係合部は、前記係合溝に略直角に係合するように折れ曲がって形成されている、請求項１から７のいずれか１項に記載のスピニングリールの釣り糸案内機構。
【発明の詳細な説明】
【技術分野】
【０００１】
本発明は、釣り糸案内機構、特に、第１ロータアーム及び第２ロータアームの先端に糸案内姿勢と糸開放姿勢とに揺動自在に装着され、釣り糸をスプールに案内するスピニングリールの釣り糸案内機構に関する。
【背景技術】
【０００２】
スピニングリールには、釣り糸をスプールに案内する釣り糸案内機構が設けられている。釣り糸案内機構は、第１ロータアーム及び第２ロータアームの先端に装着され、ロータとともに回転し、かつ糸開放姿勢と糸案内姿勢との間で揺動自在に設けられている。このような釣り糸案内機構は、第１ベール支持部材及び第２ベール支持部材と、第１ベール支持部材の先端に一端が固定された固定軸と、固定軸の他端に固定された固定軸カバーと、固定軸カバーに一端が取り付けられたベールと、固定軸に支持されたラインローラとを備えている。ベールの一端は固定軸カバーに挿入固定されており、ベールの他端は第２ベール支持部材の先端に取り付けられている。
【０００３】
このような釣り糸案内機構を有するスピニングリールでは、釣り糸をスプールに巻き取る際に、ベールを糸案内姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
この種の釣り糸案内機構では、一端部が第２ベール支持部材に固定され棒状に形成された棒状部と、他端部が固定軸カバーの釣り糸案内側と滑らかに連設するように溝部に挿入され棒状部と滑らかに連設するように板状に形成された板状部とを有するベールが知られている（たとえば、特許文献１参照）。固定軸カバーは、端部がスリット状に開口する溝部を有しており、この溝部には、固定軸カバーの釣り糸案内側及びその逆側と滑らかに連設するようにベールの板状部が挿入されている。ここでは、ベールは、固定軸カバーの釣り糸案内側と滑らかに連設するように形成されているので、固定軸カバーとベールとの間の段差がなくなり、固定軸カバーとベールとの間に釣り糸が引っ掛かりにくくなる。
【先行技術文献】
【特許文献】
【０００５】
【特許文献１】特許第３９３４５１２号公報
【発明の概要】
【発明が解決しようとする課題】
【０００６】
前記従来の釣り糸案内機構は、ベールは固定軸カバーの釣り糸案内側と滑らかに連設するように形成されているので、固定軸カバーとベールとの間に釣り糸が引っ掛かりにくくすることができる。しかし、ベールは、固定軸カバーの端部に開口する溝部に板状部が挿入されているので、溝部に挿入された板状部が固定軸カバーの端部に配置されることになり、この部分に釣り糸が引っ掛かるおそれが生じる。
【０００７】
本発明の課題は、スピニングリールの釣り糸案内機構において、釣り糸が引っ掛かるのを防止することにある。
【課題を解決するための手段】
【０００８】
発明１に係るスピニングリールの釣り糸案内機構は、第１ロータアーム及び第２ロータアームの先端に糸案内姿勢と糸開放姿勢とに揺動自在に装着され、釣り糸をスプールに案内するスピニングリールの釣り糸案内機構であって、第１ベール支持部材及び第２ベール支持部材と、固定軸と、固定軸カバーと、ラインローラと、ベールとを備えている。第１ベール支持部材及び第２ベール支持部材は、第１ロータアーム及び第２ロータアームの先端にそれぞれ揺動自在に装着されている。固定軸は、第１ベール支持部材に一端が固定されている。固定軸カバーは、固定軸の他端に第１ベール支持部材と間隔を隔てて設けられたカバー本体と、カバー本体の側面に開口するように形成された係合溝とを有している。ラインローラは、固定軸に回動自在に支持され、周面に釣り糸を案内する案内部が形成されている。ベールは、棒状に形成された棒状部と、一端部が棒状部と連結され他端部が固定軸カバーに装着される板状部とを有し、釣り糸を固定軸カバーを介してラインローラに導く部材である。板状部は、係合溝に係合する係合部を有している。
【０００９】
この釣り糸案内機構では、固定軸カバーは、カバー本体の側面に開口するように形成された係合溝を有しており、ベールは、係合溝に係合する係合部を有する板状部を有している。このようなベールは、固定軸カバーのカバー本体の側面に開口するように形成された係合溝に板状部の係合部が挿入されているので、係合溝に挿入された板状部の係合部が固定軸カバーの側面に配置される。ここでは、係合溝に挿入された板状部の係合部が固定軸カバーの側面に配置されるので、従来のように溝部に挿入された板状部が固定軸カバーの端部に配置される場合に比して、釣り糸が引っ掛かるのを防止することができる。
【００１０】
発明２に係る釣り糸案内機構は、発明１の釣り糸案内機構において、カバー本体は、略円筒状に形成されている。係合溝は、カバー本体の外周面に形成されている。この場合、円筒状のカバー本体の外周面に係合溝を形成しやすくなるとともに、係合溝をカバー本体の外周方向となる側面に確実に開口させることができるので、釣り糸が引っ掛かるのをさらに防止することができる。
【００１１】
発明３に係る釣り糸案内機構は、発明１又は２の釣り糸案内機構において、係合溝は、カバー本体の固定軸を挟んだ両側の側面にそれぞれ開口するように形成された第１係合溝及び第２係合溝をさらに有している。係合部は、第１係合溝及び第２係合溝に係合する第１係合部及び第２係合部をさらに有している。この場合、２つの第１係合部及び第２係合部が２つの第１係合溝及び第２係合溝に係合するようになっているので、ベールの固定軸カバーに対する固定が強固になる。
【００１２】
発明４に係る釣り糸案内機構は、発明３の釣り糸案内機構において、板状部は、一端部から他端部に向けて２方向に分岐して延びる第１板本体及び第２板本体をさらに有している。第１係合部及び第２係合部は、第１板本体及び第２板本体の他端部にそれぞれ形成されている。この場合、板状部は、２方向に分岐して延びる第１板本体及び第２板本体を有しているので、第１板本体及び第２板本体の間には、空間部が形成されることになり、このため、ベール全体の軽量化を図ることができる。
【００１３】
発明５に係る釣り糸案内機構は、発明４の釣り糸案内機構において、固定軸及び固定軸カバーのいずれかは、他端部が第１板本体及び第２板本体の間に配置され、他端部が頂点となるように略円錐形状に形成されている。この場合、第１板本体及び第２板本体の間に形成される空間部に固定軸又は固定軸カバーの略円錐形状部分を配置することができる。
【００１４】
発明６に係る釣り糸案内機構は、発明４又は５の釣り糸案内機構において、第１板本体及び第２板本体の一方の外側面は、棒状部の外側面と滑らかに連続するように形成されている。この場合、第１板本体及び第２板本体の一方の外側面は、棒状部の外側面と滑らかに連続するように形成されているので、この部分に釣り糸が引っ掛かるのを防止することができる。
【００１５】
発明７に係る釣り糸案内機構は、発明１から６のいずれかの釣り糸案内機構において、板状部は、一端部から他端部に向けて拡径するように形成されている。この場合、板状部は、一端部から他端部に向けて拡径するように断面が略三角形状に形成されているので、ベールの棒状部から固定軸カバーのカバー本体に向けて外形を滑らかに連結することができる。
【００１６】
発明８に係る釣り糸案内機構は、発明１から７のいずれかの釣り糸案内機構において、係合部は、係合溝に略直角に係合するように折れ曲がって形成されている。この場合、係合部は係合溝に略直角に係合するように折れ曲がっているので、係合溝に挿入された係合部が固定軸カバーの側面に配置することで釣り糸が引っ掛かるのを防止しながら、係合部が係合溝から離反しにくくなる。
【発明の効果】
【００１７】
本発明によれば、スピニングリールの釣り糸案内機構において、固定軸カバーは、カバー本体の側面に開口するように形成された係合溝を有しており、ベールは、係合溝に係合する係合部を有する板状部を有しているので、釣り糸が引っ掛かるのを防止することができる。
【図面の簡単な説明】
【００１８】
【図１】本発明の一実施形態を採用したスピニングリールの右側面図。
【図２】前記スピニングリールの左側面断面図。
【図３】前記スピニングリールの正面図。
【図４】ベールアームの側面から見たときの斜視図。
【図５】前記ベールアームの側面断面図。
【図６】前記ベールアームの正面から見たときの斜視図。
【図７】前記ベールアームの上面から見たときの斜視図。
【発明を実施するための形態】
【００１９】
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００２０】
ハンドル１は、Ｔ字状の把手部１ａと、先端に把手部１ａが回転自在に装着されたＬ字状のクランクアーム１ｂとを有している。
【００２１】
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００２２】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
【００２３】
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはねじ方向及び径が異なる雌ねじ部がそれぞれ形成されており、両雌ねじ部にハンドル１が回転不能に装着可能である。
【００２４】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
【００２５】
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２６】
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００２７】
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図３から図７に示すように、第１ベール支持部材４０及び第２ベール支持部材４２を連結するベール４１と、第１ベール支持部材４０に先端が固定された固定軸４３（図５から図７参照）と、固定軸４３に支持されたラインローラ４４と、固定軸４３を覆う固定軸カバー４６とをさらに有している。
【００２８】
第１ベール支持部材４０は、図４から図７に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５から図７参照）が形成されており、貫通孔４０ｃには固定軸４３を第１ベール支持部材４０に固定するための固定ボルト５２が貫通している。
【００２９】
ベール４１は、図３に示すように、第２ベール支持部材４２及び固定軸カバー４６に両端が固定された棒状のステンレス合金製部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００３０】
ベール４１は、図５から図７に示すように、棒状に形成された棒状部４１ａと、一端部が棒状部４１ａと連結され他端部が固定軸カバー４６に装着される板状部４１ｂとを有している。板状部４１ｂは、図５から図７に示すように、一端が固定軸カバー４６の釣り糸案内側及びその逆側と滑らかに連設し、他端が棒状部４１ａと滑らかに連設している。棒状部４１ａは円柱状の中実部材である。このようなベール４１は、板状の母材をプレス加工することより、棒状部４１ａ及び板状部４１ｂの外形全体を打ち抜き、さらに棒状部４１ａを切削加工又は鍛造加工した後バレル研磨することにより、棒状部４１ａ及び板状部４１ｂを一体成形している。
【００３１】
板状部４１ｂは、図５から図７に示すように、一端部から他端部に向けて（ベール４１側から固定軸カバー４６側に向けて）２方向に分岐して延びる第１板本体４１ｃ及び第２板本体４１ｄを有している。第１板本体４１ｃ及び第２板本体４１ｄは、外形が一端部から他端部に向けて拡径するように断面が略三角形状に形成されており、第１板本体４１ｃ及び第２板本体４１ｄの間には、断面が略三角形状の空間部が形成されている。第１板本体４１ｃ及び第２板本体４１ｄの他端部は、図５に示すように、固定軸カバー４６の後述する第１係合溝４６ｂ及び第２係合溝４６ｃに略直角に係合するように折れ曲がって形成された第１係合部４１ｅ及び第２係合部４１ｆを有している。第１板本体４１ｃの外側面は、棒状部４１ａの外側面と滑らかに連続するように傾斜して形成されている。第２板本体４１ｄの外側面は、棒状部４１ａの外側面と滑らかに連続するようにやや傾斜して形成されている。
【００３２】
固定軸４３は、図５から図７に示すように、固定軸カバー４６の他端側から別体で装着されるアルミニウム合金製の軸部材であって、大径の頭部４３ａと、外周側にラインローラ４４が配置される軸部４３ｂとを有している。頭部４３ａは、図５に示すように、他端部が頂点となるように略円錐形状に突出した部分であって、ベール４１の第１板本体４１ｃ及び第２板本体４１ｄの間に形成された略三角形状の空間部内に配置されている。頭部４３ａの円錐形状の側面の一方は、第１板本体４１ｃの内側面と略平行となるように形成されており、頭部４３ａが第１板本体４１ｃに干渉しないようになっている。軸部４３ｂは、頭部４３ａの一端から第１ベール支持部材４０に向かって延びており、先端が固定ボルト５２によりねじ止め固定されている。
【００３３】
ラインローラ４４は、図５に示すように、外周面に釣り糸を案内する溝が形成された筒状の案内部４４ａと、案内部４４ａの内周側に配置された筒状部４４ｂと、筒状部４４ｂの内周側に配置された転がり軸受からなる軸受４４ｃとを有している。案内部４４ａは、筒状部４４ｂ及び軸受４４ｃを介して固定軸４３の軸部４３ｂに回動自在に支持されている。また、案内部４４ａの一端部は、図５に示すように、第１ベール支持部材４０の装着部４０ｂの筒状部内周に配置され、案内部４４ａの一端部と装着部４０ｂの筒状部内周との間の隙間には、環状部材４４ｄが装着されており、釣り糸が内部に侵入しにくい構造になっている。また、環状部材４４ｄの一端部は、固定軸４３の軸部４３ｂの一端部に装着された筒状の介装部材４４ｅによって位置決めされている。介装部材４４ｅの一端部は、第１ベール支持部材４０の装着部４０ｂの筒状部内周底部に接触するように配置され、介装部材４４ｅの他端部を軸受４４ｃの内輪の一端部に接触させることによって、軸受４４ｃの内輪を固定軸カバー４６と介装部材４４ｅとで挟み込むようにして位置決めされている。
【００３４】
固定軸カバー４６は、図５から図７に示すように、固定軸４３の他端に第１ベール支持部材４０の装着部４０ｂと間隔を隔てて設けられている。固定軸カバー４６は、図５に示すように、略円筒状の合成樹脂製の部材であって、固定軸４３の他端に第１ベール支持部材４０と間隔を隔てて設けられた略円筒状のカバー本体４６ａと、カバー本体４６ａの側面外周面の２箇所に開口するように形成されベール４１の第１係合部４１ｅ及び第２係合部４１ｆが係合する第１係合溝４６ｂ及び第２係合溝４６ｃとを有している。第１係合溝４６ｂ及び第２係合溝４６ｃは、図５に示すように、カバー本体４６ａの固定軸４３を挟んだ両側の側面にそれぞれ開口するように形成されており、板状部４１ｂの第１係合部４１ｅ及び第２係合部４１ｆが略直角に係合するように固定軸４３と直交する方向に形成された凹溝である。第１係合溝４６ｂ及び第２係合溝４６ｃは、中心が同芯となるように形成されており、カバー本体４６ａの固定軸４３の軸芯に対して対称となる凹溝である。第１係合溝４６ｂ及び第２係合溝４６ｃは、外形が略矩形となるように形成されており、板状部４１ｂの第１係合部４１ｅ及び第２係合部４１ｆの外形形状と同一になっている。ここでは、固定軸カバー４６のカバー本体４６ａの側面に開口するように形成された第１係合溝４６ｂ及び第２係合溝４６ｃに板状部４１ｂの第１係合部４１ｅ及び第２係合部４１ｆが挿入固定される。
【００３５】
次に、リールの操作及び動作について詳細に説明する。
【００３６】
キャスティング時には、ロータ３を逆転禁止状態にして、手でベールアーム３４を持ってベールアーム３４を糸開放姿勢に反転させる。ベールアーム３４が糸開放姿勢に倒れた状態では、スプール４からの釣り糸を容易に繰り出すことが可能である。
【００３７】
キャスティング後に、ベールアーム３４を糸開放姿勢に維持したままの状態で、ハンドル１を糸巻き取り方向に回転させると、ロータ駆動機構５によりロータ３が糸巻き取り方向に回転する。ロータ３が糸巻き取り方向に回転すると、ベールアーム３４が糸巻き取り姿勢に復帰する。このとき、さらにハンドル１を糸巻き取り方向に回転させると、釣り糸はベール４１から固定軸カバー４６を介してラインローラ４４に導出され、スプール４に巻き取られる。
【００３８】
このスピニングリールでは、固定軸カバー４６は、カバー本体４６ａの側面に開口するように形成された第１係合溝４６ｂ及び第２係合溝４６ｃを有し、ベール４１は、第１係合溝４６ｂ及び第２係合溝４６ｃに係合する第１係合部４１ｅ及び第２係合部４１ｆを有する板状部４１ｂを有している。ここでは、ベール４１は、固定軸カバー４６のカバー本体４６ａの側面に開口するように形成された第１係合溝４６ｂ及び第２係合溝４６ｃに板状部４１ｂの第１係合部４１ｅ及び第２係合部４１ｆが挿入されており、第１係合溝４６ｂ及び第２係合溝４６ｃに挿入された板状部４１ｂの第１係合部４１ｅ及び第２係合部４１ｆが固定軸カバー４６の側面に配置されるので、従来のように溝部に挿入された板状部４１ｂが固定軸カバー４６の端部に配置される場合に比して、釣り糸が引っ掛かるのを防止することができる。
【００３９】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００４０】
（ｂ）  前記実施形態では、固定軸４３と固定軸カバー４６とが別体で形成されていたが、固定軸４３と固定軸カバー４６とを一体成形してもよい。
【００４１】
（ｃ）  前記実施形態では、ベール４１の棒状部４１ａは円柱状の中実部材であったが、これに限定されるものではなく、円筒状の中空部材であってもよい。この場合、ベール４１を軽量化できる。
【００４２】
（ｄ）  前記実施形態では、固定軸カバー４６のカバー本体４６ａは、略円筒状の部材であったが、第１係合溝４６ｂ及び第２係合溝４６ｃを側面に配置可能であれば、これに限定されるものではない。
【００４３】
（ｅ）  前記実施形態では、ベール４１の板状部４１ｂは、一端部から他端部に向けて２方向に分岐して延びる第１板本体４１ｃ及び第２板本体４１ｄを有していたが、これに限定されるものではない。
【００４４】
（ｆ）  前記実施形態では、固定軸４３の他端部が頂点となるように略円錐形状に形成されていたが、固定軸カバー４６が固定軸４３より他端部側に配置されている場合には、固定軸カバー４６の他端部が頂点となるように略円錐形状に形成してもよい。
【００４５】
（ｇ）  前記実施形態では、ベール４１の棒状部４１ａ及び板状部４１ｂは、プレス加工により一体成形されていたが、製造方法はこれに限定されるものではなく、たとえば、棒状部４１ａ及び板状部４１ｂを別部材で形成し、棒状部４１ａと板状部４１ｂとを溶接等で接合してもよい。
【符号の説明】
【００４６】
１  ハンドル
１ａ  把手部
１ｂ  クランクアーム
２  リール本体
２ａ  リールボディ
２ｂ  竿取付脚
３  ロータ
４  スプール
５  ロータ駆動機構
６  オシレーティング機構
１０  ハンドル軸
１１  マスターギア
１２  ピニオンギア
１５  スプール軸
２１  螺軸
２２  スライダ
２３  中間ギア
３０  円筒部
３１  第１ロータアーム
３２  第２ロータアーム
３３  ナット
３４  ベールアーム
４０  第１ベール支持部材
４０ａ  アーム部
４０ｂ  装着部
４０ｃ  貫通孔
４１  ベール
４１ａ  棒状部
４１ｂ  板状部
４１ｃ  第１板本体
４１ｄ  第２板本体
４１ｅ  第１係合部
４１ｆ  第２係合部
４２  第２ベール支持部材
４３  固定軸
４３ａ  頭部
４３ｂ  軸部
４４  ラインローラ
４４ａ  案内部
４４ｂ  筒状部
４４ｃ  軸受
４４ｄ  環状部材
４４ｅ  介装部材
４６  固定軸カバー
４６ａ  カバー本体
４６ｂ  第１係合溝
４６ｃ  第２係合溝
５２  固定ボルト
６０  ドラグ機構
【図１】
0005481228.tif 000002
【図２】
0005481228.tif 000003
【図３】
0005481228.tif 000004
【図４】
0005481228.tif 000005
【図５】
0005481228.tif 000006
【図６】
0005481228.tif 000007
【図７】
0005481228.tif 000008